(57)【要約】【課題】遊技盤の前面に平行な面内で回転する回転盤で振り分けられた当たり球の流下先を遊技者に把握されやすいようにする。【解決手段】回転盤３１がモータによって遊技盤７の前面に平行する面としての垂直面内で回転した状態において、球出口部２８から供給され球が回転盤３１の外れ球受部３４に取り込まれて外れ球として振り分けられ、振り分けられた外れ球は遊技盤７の後方に排出され、球出口部２８から供給された球が回転盤３１の外れ球受部３４に取り込まれて外れ球として振り分けられ、振り分けられた当たり球は当たり球受部３３の上に載って回転盤３１の回転に伴い回転盤３１の回転方向に移動し当たり球受部３３が回転盤３１を収容した容器３５の前面に形成された当たり領域３６と対応すると当たり球受部３３から当たり領域３６を経由して回転盤３１から前方に排出される。【選択図】図１
2009028133.tif 000002
【特許請求の範囲】
【請求項１】
遊技盤の前面に平行する垂直面内で回転する回転盤が上部より供給された球を回転盤に設けられた当たり球受部または回転盤に設けられた外れ球受部に受け取ることによって、上記回転盤が上部より供給された球を当たり球と外れ球とに振り分けるようにしたパチンコ遊技機の回転振分装置において、回転盤を収容する容器の前面には、回転盤によって振り分けられた当たり球を回転盤の回転に伴い当たり球受部から受け取る当たり領域が設けられたことを特徴とするパチンコ遊技機の回転振分装置。
【請求項２】
容器の前方に容器の当たり領域から排出された球を下方に誘導する誘導通路が設けられ、当たり領域の球排出側の下縁部が誘導通路の球受入側の下縁部よりも上部に配置されたことを特徴とする請求項１記載のパチンコ遊技機の回転振分装置。
【発明の詳細な説明】
【技術分野】
【０００１】
本発明は、遊技盤の前面に平行する垂直面内で回転する回転盤で振り分けられた当たり球の流下先が把握しやすいパチンコ遊技機の回転振分装置に関する。
【背景技術】
【０００２】
図５は、特許文献１で開示されたパチンコ遊技機の回転振分装置を示す。図５において、回転盤７１が図外のモータによって遊技盤７の前面に平行する垂直面内で回転された状態において、パチンコ球と呼ばれる球Ｐが回転盤７１を収容した容器７２の球入口部７３から矢印Ｘ３で示すように回転盤７１の当たり球受部７４に取り込まれるか、または、回転盤７１の外れ球受部７５に取り込まれることによって、回転盤７１が球入口部７３から供給された球を当たり球と外れ球とに振り分けるようになっている。しかしながら、回転盤７１は、矢印Ｘ４または矢印Ｘ５の方向に回転することによって、当たり球受部７４または外れ球受部７５に取り込まれた当たり球または外れ球を回転盤７１の直径方向の外側から容器７２の球排出孔７６；７７の一方を経由して容器７２の後方に排出する構造であるので、回転盤７１で振り分けられた球の動きが平面的であるうえ、遊技者が振り分けられた当たり球の流下先を把握しにくいという欠点がある。
【特許文献１】特開２００４−１１３８２５公報
【発明の開示】
【発明が解決しようとする課題】
【０００３】
発明が解決しようとする問題点は、回転盤で振り分けられた球の動きが平面的であるうえ、遊技者が振り分けられた当たり球の流下先を把握しにくいという点である。
【課題を解決するための手段】
【０００４】
本発明に係るパチンコ遊技機の回転振分装置は、遊技盤の前面に平行する垂直面内で回転する回転盤が上部より供給された球を回転盤に設けられた当たり球受部または回転盤に設けられた外れ球受部に受け取ることによって、上記回転盤が上部より供給された球を当たり球と外れ球とに振り分けるようにしたパチンコ遊技機の回転振分装置において、回転盤を収容する容器の前面には、回転盤によって振り分けられた当たり球を回転盤の回転に伴い当たり球受部から受け取る当たり領域が設けられたことを最も主要な特徴とする。容器の前方に容器の当たり領域から排出された球を下方に誘導する誘導通路が設けられ、当たり領域の球排出側の下縁部が誘導通路の球受入側の下縁部よりも上部に配置されてもよい。
【発明の効果】
【０００５】
本発明に係るパチンコ遊技機の回転振分装置は、回転盤によって振り分けられた当たり球が回転盤の回転に伴い当たり球受部から容器の前面の当たり領域を経由して回転盤から前方に排出されるので、遊技者が振り分けられた当たり球の流下先を把握しやすいという利点がある。容器の前方に容器の当たり領域から排出された球を下方に誘導する誘導通路が設けられ、当たり領域の球排出側の下縁部が誘導通路の球受入側の下縁部よりも上部に配置されれば、当たり球が当たり球受部から当たり領域を経由して誘導通路に排出された場合、誘導通路に排出された球が当たり領域の側に戻ることがなく回転中の回転盤と容器や誘導通路との間に挟まれることがないという利点がある。
【発明を実施するための最良の形態】
【０００６】
図１は、遊技盤７に設けられる入賞部品の例として上可変入賞部品１３の正面を示す。図２は、上可変入賞部品１３を縦方向に切断した断面を示す。図３は、上回転振分装置１８を分解して示す。図４は、パチンコ遊技機の正面を示す。本明細書において、「前」、「後」、「左」、「右」、「上」、「下」の方向は、図４の状態に遊技機枠１を置いて図４の紙面の表側から見た場合に特定される方向である。
【０００７】
図４を参照し、パチンコ遊技機について説明する。パチンコ遊技機の遊技機枠１は、遊技盤７を交換可能に入れる容器として、遊技機設置構造体に設置される。遊技機設置構造体は、遊技店のパチンコ遊技機を設置する島とも呼ばれる設備である。遊技機枠１の前部には、窓２、窓パネル３、受皿４、発射操作機構５が設けられる。遊技機枠１の内部には、発射機構６が設けられる。遊技盤７の前面には、ガイドレール８、発射通路９、アウト口１０、一般入賞部品１１、始動部品１２、上可変入賞部品１３、下可変入賞部品１４、図外の遊技釘などが設けられる。上可変入賞部品１３は、センター役物とも呼ばれ、仕切壁１５と開閉体１６と球検出器１７と上回転振分装置１８および下回転振分装置１９などを備える。下可変入賞部品１４は、アタッカーとも呼ばれ、開閉体２０を備える。遊技盤７が遊技機枠１の内部に装着された場合、遊技領域２１が発射機構６から発射された球の飛び交う領域として窓パネル３と遊技盤７の前面との間におけるガイドレール８で囲まれた部分として形成され、ガイドレール８、発射通路９、アウト口１０、一般入賞部品１１、始動部品１２、上可変入賞部品１３、下可変入賞部品１４、図外の遊技釘などが、遊技機枠１の前側から窓２および窓パネル３を通して視認可能になる。
【０００８】
パチンコ遊技の一例について説明すると、遊技盤７が遊技機枠１に装着され、遊技者が受皿４にパチンコ球と呼ばれる球を入れ、遊技者が発射操作機構５を操作するのに伴い、発射機構６が発射操作機構５の操作量に応じた発射力で駆動し、発射機構６が受皿４から遊技機枠１の内部に取り込まれた球を１個ずつ発射通路９に向けて発射する。発射通路９に発射された球は、発射通路９から遊技領域２１の上部に到達する。遊技領域２１に到達した球が、遊技領域２１を流下する過程において、一般入賞部品１１や始動部品１２の何れか１つに入賞するごとに、図外の球検出器が入賞信号を図外の制御装置に出力し、図外の制御装置が図外の球払出機構を制御し、球払出機構が賞球としての球を受皿４に払い出す。開閉体１６；２０が閉じた状態において、遊技領域２１に到達した球が始動部品１２に入賞すると、図外の球検出器が制御装置に出力し、制御装置が開閉体１６を開閉する駆動源としての電磁ソレノイド２２（図２参照）や上回転振分装置１８の駆動源としてのモータ３２（図２参照）および下回転振分装置１９の駆動源としてのモータ４２（図２参照）を制御し、開閉体１６が開閉し、回転盤３１；４１（図１参照）が回転する。開閉体１６が開いた状態において、遊技領域２１を流下する球が、上可変入賞部品１３に入賞すると、入賞するごとに、球検出器１７が入賞信号を制御装置に出力し、制御装置が球払出機構を制御し、球払出機構が賞球としての球を受皿４に払い出す。
【０００９】
上可変入賞部品１３に入賞した球が上回転振分装置１８で外れ球として振り分けられると、当該外れ球は遊技盤７の後方に排出される。上可変入賞部品１３に入賞した球が上回転振分装置１８で当たり球として振り分けられると、当該当たり球は下回転振分装置１９に供給される。下回転振分装置１９に供給された球が下回転振分装置１９で外れ球として振り分けられると、当該外れ球は遊技盤７の後方に排出される。下回転振分装置１９に供給された球が下回転振分装置１９で当たり球として振り分けられると、当該当たり球は遊技盤７の後方に排出される過程において図外の球検出器で検出され、当該球検出器が当たり領域信号を制御装置に出力し、制御装置が下可変入賞部品１４の開閉体２０の開閉する大当たり遊技を開始する。大当たり遊技は、開閉体２０の開閉の開始からの経過時間がラウンド規定時間に到達するかまたは下可変入賞部品１４への球の入賞個数が入賞規定個数に到達するかのいずれか１つが成立したら開閉体２０を閉じて１ラウンドを終了し、開閉体２０の開閉を再開し、最大ラウンド数まで繰り返される遊技形態である。一般入賞部品１１、始動部品１２、上可変入賞部品１３、下可変入賞部品１４の何れかに入賞した球は、遊技盤７の後方に排出される。一般入賞部品１１や始動部品１２、上可変入賞部品１３、下可変入賞部品１４のいずれにも入らないで、遊技領域２１の最下部に到達した球は、アウト口１０から遊技盤７の後方に排出される。
【００１０】
図１および図２を参照し、上可変入賞部品１３について説明する。図１において、上可変入賞部品１３は、筐体２４を備える。筐体２４は、前方に開放した奥行の有る内部空間を構成する。筐体２４の前部には、仕切壁１５および取付部２５が設けられる。仕切壁１５は、遊技盤７の前面から筐体２４で囲まれた内部空間への球の侵入を阻止する部分として、筐体２４の前方に突出する。取付部２５は、上可変入賞部品１３を遊技盤７に取り付けるための部分として、筐体２４から遊技盤７の前面に平行するように外側に突出する。そして、図外のねじ釘が取付部２５に設けられた取付孔を経由して遊技盤７に締結されることによって、取付部２５が遊技盤７の前面に接触し、上可変入賞部品１３が遊技盤７に取り付けられる。
【００１１】
仕切壁１５の上部には、開閉体１６と球検出器１７および球入口部２６が設けられる。開閉体１６が仮想線で示す開放位置から実線で示す閉鎖位置に閉じた場合、球が遊技盤７の前面から球入口部２６に入らなくなる。開閉体１６が実線で示す閉鎖位置から仮想線で示す開放位置に開いた場合、球が遊技盤７の前面から球入口部２６に入る可能性がある。図２にも示すように、開閉体１６から球入口部２６に入った球が球検出器１７の球検出孔を上方から下方に通過する過程において、球検出器１７が当該球を電気的に検出して入賞信号を出力する。球入口部２６は、球検出器１７を通過した球を筐体２４の内部空間の上部を奥に誘導し、筐体２４における内部空間の奥を閉鎖する後壁部２７に形成された球出口部２８に排出する。球出口部２８は、球を後壁部２７よりも後方に誘導した後に上回転振分装置１８の上に排出する。
【００１２】
図１に戻り、上回転振分装置１８は、遊技盤７の前面に平行する垂直面内で回転する回転盤３１を有する回転振分装置を構成し、球出口部２８よりも下部に位置し、後壁部２７に設けられる。回転盤３１は、筐体２４の上部に設けられたモータ３２（図２参照）によって遊技盤７の前面と平行な方向に回転した状態において、回転盤３１が球出口部２８から供給された球を外れ球と当たり球とに振り分ける。つまり、球出口部２８から供給された球が回転盤３１の外れ球受部３４に取り込まれることによって、回転盤３１が球出口部２８から供給された球を外れ球として振り分ける。振り分けられた外れ球は、外れ球受部３４の上に載って、回転盤３１の回転に伴い、回転盤３１の回転方向に移動し、外れ球受部３４が上回転振分装置１８における回転盤３１を収容した容器３５の周面に形成された外れ領域３７と対応すると、外れ球受部３４から外れ領域３７を経由して回転盤３１から側方と後壁部２７の後方を経由して遊技盤７の後方に排出される。
【００１３】
球出口部２８から供給された球が回転盤３１の当たり球受部３３に取り込まれることによって、回転盤３１が球出口部２８から供給された球を当たり球として振り分ける。振り分けられた当たり球は、当たり球受部３３の上に載って、回転盤３１の回転に伴い、回転盤３１の回転方向に移動し、当たり球受部３３が容器３５の前面に形成された当たり領域３６と対応すると、当たり球受部３３から当たり領域３６を経由して回転盤３１から前方に排出されるので、遊技者が振り分けられた当たり球の流下先を把握しやすいという利点がある。
【００１４】
回転盤３１から前方に排出された当たり球は、容器３５の前面および後壁部２７の前面に設けられた誘導通路３８に取り込まれる。誘導通路３８は、球を筐体２４の内部空間の下方に形成された通路出口３９に排出する。通路出口３９は、球を下回転振分装置１９の誘導通路４３の上に排出する。
【００１５】
下回転振分装置１９は、遊技盤７の前面に交差する水平面内で回転する回転盤４１を有する回転振分装置を構成し、通路出口３９よりも下部に位置し、筐体２４の内部空間の底を閉鎖する底壁部２９に設けられる。回転盤４１は、筐体２４の下部に設けられたモータ４２（図２参照）によって水平な方向に回転した状態において、回転盤４１が誘導通路４３の前部に形成された通路出口４４から供給された球を外れ球と当たり球とに振り分ける。つまり、通路出口４４から供給された球が回転盤４１の外れ球受部４６に取り込まれることによって、回転盤４１が通路出口４４から供給された球を外れ球として振り分ける。振り分けられた外れ球は、下回転振分装置１９における回転盤４１を収容した容器４７の底部の上に載って、回転盤３１の回転に伴い、回転盤３１の回転方向に移動し、外れ球受部４６が容器４７の底部に形成された外れ領域４９と対応すると、外れ球受部４６から外れ領域４９を経由して回転盤３１から下方と底壁部２９の下方を経由して遊技盤７の後方に排出される。
【００１６】
通路出口４４から供給された球が回転盤４１の当たり球受部４５に取り込まれることによって、回転盤４１が通路出口４４から供給された球を当たり球として振り分ける。振り分けられた当たり球は、当たり球受部４５の上に載って、回転盤４１の回転に伴い、回転盤４１の回転方向に移動し、当たり球受部４５が容器４７の外周面に形成された当たり領域４８と対応すると、当たり球受部４５から当たり領域４８を経由して回転盤４１から側方と誘導通路４３よりも下方を経由して遊技盤７の後方に排出される。
【００１７】
回転盤４１には、フィギュア５０が上方に突出する。フィギュア５０は、回転盤４１の上面に固定され、誘導通路３８に接触しないように、回転盤４１と一緒に回転する。
【００１８】
上可変入賞部品１３は、開いた開閉体１６から筐体２４の内部空間に取り込まれた球を後壁部２７に設けられた上回転振分装置１８で当たり球と外れ球とに振り分け、上回転振分装置１８で振り分けられた当たり球を底壁部２９に設けられた下回転振分装置１９で当たり球と外れ球とに振り分ける構造であるので、下可変入賞部品１４が小形でありながら当たりの発生する確率を低確率に設定することができるという利点がある。
【００１９】
その理由は、例えば、上回転振分装置１８の回転盤３１が１個の当たり球受部３３と２個の外れ球受部３４とを備えるというように、上回転振分装置１８が１／３の当たりの発生する確率を持ち、下回転振分装置１９の回転盤４１が２個の当たり球受部４５と６個の外れ球受部４６とを備えるというように、下回転振分装置１９が１／４の当たりの発生する確率を持つことによって、下可変入賞部品１４における当たりの発生する確率は、１／１２になる。これに対し、下可変入賞部品１４が１つの回転振分装置を備えて当たりの発生する確率を１／１２に設定する場合、回転盤３１が少なくとも１個の当たり球受部３３と１１個の外れ球受部３４とからなる合計１２個の球受部を備える必要があり、回転盤３１の直径が大きくなり、回転振分装置が大形になり、下可変入賞部品１４が大形になるからである。
【００２０】
上回転振分装置１８の当たりの発生する確率は、１／３に限定されるものでなく、１／２または１／４以上でもよい。下回転振分装置１９の当たりの発生する確率は、１／４に限定されるものでなく、１／２または、１／３または１／５以上でもよい。
【００２１】
図２において、上回転振分装置１８において、当たり領域３６の球排出側の下縁部が誘導通路３８の球受入側の下縁部よりも上部に配置されるように構成されているので、当たり球が当たり球受部３３から当たり領域３６を経由して誘導通路３８に排出された場合、誘導通路３８に排出された球が当たり領域３６の側に戻ることがなく回転中の回転盤３１と容器３５や誘導通路３８との間に挟まれることがない。つまり、当たり球受部３３から誘導通路３８に排出された当たり球による球噛みが発生しないという利点がある。遊技盤７には、部品逃避孔６４が前後方向への貫通孔として設けられる。部品逃避孔６４は、上回転振分装置１８が遊技盤７に取り付けられる場合、電磁ソレノイド２２や筐体２４およびモータ３２；４２などの部品を逃げる孔であって、取付部２５によって遊技盤７の前側から見えないように覆い隠される。
【００２２】
図３を参照し、上回転振分装置１８の構成部品について説明する。回転盤３１の周縁部には、当たり球受部３３および外れ球受部３４が設けられる。当たり球受部３３は、回転盤３１の直径方向外側と前後方向とに開口し、回転盤３１の外周面から中心部の方向に窪み、１個の球を受け取れるものの、複数の球を同時に受け取れない、凹部として構成される。当たり球受部３３には、球前方誘導突起５１が設けられる。球前方誘導突起５１は、当たり球受部３３に取り込まれた当たり球を当たり球受部３３から前方に排出するように誘導する。外れ球受部３４は、回転盤３１の直径方向外側と前後方向とに開口し、回転盤３１の外周面から中心部の方向に窪み、１個の球を受け取れるものの、複数の球を同時に受け取れない、凹部として構成される。外れ球受部３４には、球前方阻止突起５２が設けられる。球前方阻止突起５２は、外れ球受部３４に取り込まれた外れ球を外れ球受部３４から前方に排出しないように阻止する。回転盤３１の中心部には、軸受孔５３が前後方向への貫通孔として設けられる。回転盤３１の後面には、嵌合部５４が回転盤３１の後面から後方に突出した突起として設けられる。
【００２３】
回転盤３１の後部に装着される後面盤５５には、軸受孔５６、歯車５７、嵌合部５８が設けられる。軸受孔５６は、後面盤５５の中心部に前後方向への貫通孔として形成される。歯車５７は、軸受孔５６を中心とする１つの円周上に位置する平歯車として形成される。嵌合部５８は、後面盤５５の周縁部に前後方向への貫通孔として設けられる。容器３５は、回転盤３１を回転可能に収容する収容室を前方に開放した奥行の有る内部空間として構成する。容器３５における収容室の前部を塞ぐ前壁５９には、当たり領域３６および軸受孔６０が設けられる。容器３５における収容室の周縁部を塞ぐ周壁６１には、外れ領域３７および球入口６２が設けられる。
【００２４】
嵌合部５４が後方に向けられ、回転盤３１が容器３５の後方から収容部に収容され、歯車５７が後方に向けられ、回転盤３１の嵌合部５４と後面盤５５の嵌合部５８とが互いに嵌め合わされ、後面盤５５が当たり球受部３３の後方の開口および外れ球受部３４の後方の開口を塞ぎ、軸６３が軸受孔５３；５６；６０にわたり装着され、回転盤３１と容器３５および後面盤５５が互いに組み合わせられると、当たり球受部３３が取り込んだ当たり球を回転盤３１の前方に排出する機能を備え、外れ球受部３４が取り込んだ外れ球を回転盤３１の直径方向の外側に排出する機能を備える。
【００２５】
回転盤３１と容器３５および後面盤５５が互いに組み合わせられた状態において、球が
球出口部２８から球入口６２に到達し、回転盤３１の外周面が球入口６２と対向している場合、当該球は回転盤３１の外周面で受け止められて球入口６２に留まる。そして、上回転振分装置１８を前方から見た場合において、回転盤３１が矢印Ｘ１で示すように時計回りの方向に回転し、当たり球受部３３が球入口６２と対向すると、球が球入口６２から当たり球受部３３に取り込まれる。回転盤３１の矢印Ｘ１で示す方向への回転が進行し、当たり球受部３３が当たり領域３６と対向すると、当たり球が当たり球受部３３から前方の当たり領域３６に排出される。当たり球が球入口６２から当たり球受部３３に取り込まれた状態において、回転盤３１が矢印Ｘ１で示す方向と逆向きの方向（上回転振分装置１８を前方から見た場合において、回転盤３１が反時計回りの方向）に回転し、当たり球受部３３が外れ領域３７と対向すると、当たり球が当たり球受部３３から側方の外れ領域３７に排出されるので、回転盤３１の回転方向は、矢印Ｘ１で示すように、当たり球受部３３が当たり領域３６から外れ領域３７の方向に移動する方向に特定され、回転盤３１が矢印Ｘ１で示す方向と逆向きの方向に回転しないように、図外の制御装置が図２のモータ３２の回転方向を規制している。
【００２６】
また、上回転振分装置１８を前方から見た場合において、回転盤３１が矢印Ｘ１で示すように時計回りの方向に回転し、回転盤３１が矢印Ｘ１で示すように時計回りの方向に回転し、外れ球受部３４の１つが球入口６２と対向すると、球が球入口６２から外れ球受部３４に取り込まれる。回転盤３１の矢印Ｘ１で示す方向への回転が進行し、外れ球受部３４が当たり領域３６と対向しても、外れ球受部３４が球前方阻止突起５２を備えているので、外れ球が外れ球受部３４から当たり球受部３３に排出されることがない。引き続き、回転盤３１の矢印Ｘ１で示す方向への回転がさらに進行し、外れ球受部３４が外れ領域３７と対向すると、外れ球が外れ球受部３４から側方の外れ領域３７に排出される。
【００２７】
球前方阻止突起５２は、外れ球受部３４の前部を覆い隠すように形成されてもよいが、図３に示すように、外れ球受部３４に取り込まれた外れ球を外れ球受部３４から前方に排出しない範囲で、外れ球受部３４の前部から内部に突出した構造であり、容器３５や誘導通路３８が透明な合成樹脂で構成されているので、回転盤３１が不透明な材料から構成されても、外れ球受部３４に取り込まれた球が回転盤３１の前側から見えるという利点がある。球前方阻止突起５２が外れ球受部３４に取り込まれた球を見せないように外れ球受部３４の前部を塞ぎ、その外れ球受部３４の前部を塞いだ球前方阻止突起５２にスリットや溝あるいは貫通孔を設けたり、または、回転盤３１や容器３５および誘導通路３８を透明な合成樹脂で構成したりすることによって、外れ球受部３４に取り込まれた球が回転盤３１の前側から見えるようにしてもよい。
【産業上の利用可能性】
【００２８】
図１において、上可変入賞部品１３は下回転振分装置１９が設けられていない構造でもよい。
【図面の簡単な説明】
【００２９】
【図１】上可変入賞部品の正面図（最良の形態）。
【図２】上可変入賞部品の縦断面図（最良の形態）。
【図３】上回転振分装置の分解斜視図（最良の形態）。
【図４】パチンコ遊技機の正面図（最良の形態）。
【図５】回転振分装置の正面図（従来）。
【符号の説明】
【００３０】
１は遊技機枠、２は窓、３は窓パネル、４は受皿、５は発射操作機構、６は発射機構、７は遊技盤、８はガイドレール、９は発射通路、１０はアウト口、１１は一般入賞部品、１２は始動部品、１３は上可変入賞部品、１４は下可変入賞部品、１５は仕切壁、１６は開閉体、１７は球検出器、１８は上回転振分装置、１９は下回転振分装置、２０は開閉体、２１は遊技領域、２２は電磁ソレノイド、２３は欠番、２４は筐体、２５は取付部、２６は球入口部、２７は後壁部、２８は球出口部、２９は底壁部、３０は欠番、３１は回転盤、３２はモータ、３３は当たり球受部、３４は外れ球受部、３５は容器、３６は当たり領域、３７は外れ領域、３８は誘導通路、３９は通路出口、４０は欠番、４１は回転盤、４２はモータ、４３は誘導通路、４４は通路出口、４５は当たり球受部、４６は外れ球受部、４７は容器、４８は当たり領域、４９は外れ領域、５０はフィギュア、５１は球前方誘導突起、５２は球前方阻止突起、５３は軸受孔、５４は嵌合部、５５は後面盤、５６は軸受孔、５７は歯車、５８は嵌合部、５９は前壁、６０は軸受孔、６１は周壁、６２は球入口、６３は軸、６４乃至７０は欠番、７１は回転盤、７２は容器、７３は球入口部、７４は当たり球受部、７５は外れ球受部、７６は球排出孔、７７は球排出孔。
【図１】
2009028133.tif 000003
【図２】
2009028133.tif 000004
【図３】
2009028133.tif 000005
【図４】
2009028133.tif 000006
【図５】
2009028133.tif 000007